(57)【要約】      （修正有）【課題】かご上に設置される電気機器をかご室天井内に上方から収納、組み込み出荷を可能とし、据付け時の余長配線処理を天井内にて実装することにより、かご室上部のフラット化及び配線処理が無くし、据付け及び保守作業の簡素化、安全性確保を可能にしたエレベータのかご室を得る。【解決手段】かご室１の上端部周縁に固定され、上面に凹部３が形成されたかご室天井本体２と、かご室天井本体の凹部内に上方から収容され、上面に電気機器９が載置固定された断面コ字状の内側天井部材８と、内側天井部材に載置固定された電気機器の外周面とかご室天井本体の内側面との間に形成され、電気機器の配線・ケーブル１１を収容するスペースからなる配線ダクトと、配線ダクトの上面を塞ぐとともに、配線・ケーブルを隠蔽する配線蓋１２とを備える。【選択図】図５
2008013328.tif 000002
【特許請求の範囲】
【請求項１】
かご室の上端部周縁に固定され、上面に凹部が形成されたかご室天井本体と、
前記かご室天井本体の凹部内に上方から収容され、上面に電気機器が載置固定された断面コ字状の内側天井部材と、
前記内側天井部材に載置固定された前記電気機器の外周面と前記かご室天井本体の内側面との間に形成され、前記電気機器の配線・ケーブルを収容するスペースからなる配線ダクトと、
前記配線ダクトの上面を塞ぐとともに、前記配線・ケーブルを隠蔽する配線蓋と、
を備えたことを特徴とするエレベータのかご室。
【請求項２】
配線蓋はフラット部材から構成され、その装着時にかご室天井本体上面及び電気機器上面とともにかご室天井上部をフラット化することを特徴とする請求項１記載のエレベータのかご室。
【請求項３】
かご室天井本体は、両側部が箱体構造であり、前記箱体構造の間の中央部上面に凹部が形成されており、上面中央部に電気機器が載置固定された内側天井部材が前記凹部内に上方から収容され、前記内側天井部材の両側縁部が前記箱体構造に載置されることを特徴とする請求項１又は請求項２記載のエレベータのかご室。
【請求項４】
昇降路頂部から最上階フロアのオーバーヘッド寸法が短縮される機械室レスエレベータのかご室に適用したことを特徴とする請求項１〜請求項３のいずれかに記載のエレベータのかご室。
【発明の詳細な説明】
【技術分野】
【０００１】
この発明は、エレベータのかご室に関するものである。
【背景技術】
【０００２】
昨今、機械室レスエレベータの普及が増加しており、エレベータ機器の据付け及び保守作業は、かご上を利用して、実作業が行われるケースが増えている。また、従来のエレベータのかご室の天井本体は、例えば、図９、図１０に示すように、フラット構造とし作業性を向上させるようにしているが、かご上ステーションや電気機器９等を天井上に設置したり、電気機器９等の配線・ケーブル１１についても天井上に設置する構成とされているため、かご室１の天井上面より上方に突出した状態となっている。特に、配線・ケーブル１１の配線処理は乱雑となっている。
また、機械室レスエレベータにおいては、オーバーヘッド寸法（昇降路頂部から最上階フロアの寸法）を短縮化するため、電気機器等の背丈を低くして薄型化を図っているが、それでも電気機器等の突出により、必ずしも据付け及び保守作業時の安全性が確保されているとは言い難いものであった。
【０００３】
従来のエレベータのかご室においては、天蓋の下面が意匠面としてかご内から見えるエレベータかご室の天井の天蓋を天蓋上板と天蓋下板で構成された二層構造とし、この二層構造の天蓋の内部に補強部と、エレベータ関連機器（ＢＧＭスピーカ、照明用安定器など）を配置するものがある（例えば、特許文献１参照）。
【０００４】
【特許文献１】特開２００４−１１５２３９号公報
【発明の開示】
【発明が解決しようとする課題】
【０００５】
昨今、普及が増加している機械室レスエレベータでは、オーバーヘッド寸法の短縮化に伴い、かご室の天井フラット構造が要求されている。この要求は天井本体だけでなく、かご室の上部全体としてのフラット化が必要である。
また、従来のエレベータのかご室では、かご室天井内には照明用安定器やＢＧＭスピーカなどの小物機器を収納した構造であるが、かご室上部には、その他の突出した電気機器が配置されているため、電気機器を避けた位置での限られたスペースによる昇降路機器の据付け及び保守作業となり、作業上困難を来たす可能性があった。
【０００６】
この発明は上記のような課題を解決するためになされたもので、かご上に設置される電気機器をかご室天井内に上方から収納、組み込み出荷を可能とし、据付け時の余長配線処理を天井内にて実装することにより、かご室上部のフラット化及び配線処理が無くし、据付け及び保守作業の簡素化、安全性確保を可能にしたエレベータのかご室を提供するものである。
【課題を解決するための手段】
【０００７】
この発明に係るエレベータのかご室は、かご室の上端部周縁に固定され、上面に凹部が形成されたかご室天井本体と、かご室天井本体の凹部内に上方から収容され、上面に電気機器が載置固定された断面コ字状の内側天井部材と、内側天井部材に載置固定された電気機器の外周面とかご室天井本体の内側面との間に形成され、電気機器の配線・ケーブルを収容するスペースからなる配線ダクトと、配線ダクトの上面を塞ぐとともに、配線・ケーブルを隠蔽する配線蓋とを備えたものである。
【発明の効果】
【０００８】
この発明によれば、かご上に設置される電気機器をかご室天井内に組み込み出荷を可能とし、且つ据付け時の余長配線処理を天井内にて実装することにより、かご室天井上部のフラット化及び配線処理が無くなることによる据付け及び保守作業の簡素化、安全性確保を可能にする効果がある。
【発明を実施するための最良の形態】
【０００９】
実施の形態１.
図１はこの発明の実施の形態１におけるエレベータかご室の天井に電気機器を収納する状態を示す斜視図、図２は図１の縦断面図、図３はこの発明の実施の形態１におけるエレベータかご室の天井に電気機器の配線・ケーブルなどを収納した状態を示す斜視図、図４は図３の縦断面図、図５は電気機器の配線・ケーブルなどを収納した部分にフラット部材からなる配線蓋を取り付ける状態を示す斜視図、図６は図５の縦断面図、図７はこの発明の実施の形態１におけるエレベータかご室の天井上をフラット化した状態を示す斜視図、図８は図７の縦断面図である。なお、図１〜図８において、かご上安全手摺は図示を省略してある。
【００１０】
図において、１はかご室、２はかご室１の上端部周縁上に周縁部を載置固定された皿状のかご室天井本体で、その中央部上面には大きな凹部３が形成されている。上記かご室天井本体２の底面部から周縁載置部までの高さ寸法、すなわち厚さ寸法は機械室レスエレベータであるため薄型化が要求される。かご室天井本体２の凹部３の両側部は箱体構造４となっており、この箱体構造４内には照明用ランプ５が収納されている。６はかご室天井本体２の下面に設けられた照明用カバー、７はかご室天井本体２のかごの戸側の上部に設けられたドア駆動用電動機、８は断面コ字状を呈しており、その上面中央部にＢＧＭスピーカ、照明用安定器などの電気機器９が載置固定された内側天井部材である。この内側天井部材８は、図１、図２に示すように、上記かご室天井本体２の凹部３内に上方から収容され、且つその両側縁部下面がかご室天井本体２の両側部の箱体構造４上面に載置される。また、内側天井部材８の上面中央部に載置固定された電気機器９の外周面とかご室天井本体２の内側面との間には、図３、図４に示すように、内側天井部材８の収容状態でやや大き目の収容スペースからなる配線ダクト１０が形成されており、この配線ダクト１０内に電気機器９の配線・ケーブル１１が余裕を持って収容されるものであり、据付け時の余長配線処理をかご天井内にて実装することができる。上記配線・ケーブル１１を収容する配線ダクト１０は、電気機器９の外周面だけではなく、かご室天井本体２の内側面と箱体構造４の側面との間にも連続するように形成されている。１２は電気機器９の外周面とかご室天井本体２の内側面との間及びかご室天井本体２の内側面と箱体構造４の側面との間に形成された配線ダクト１０の上面をそれぞれ塞ぐとともに、電気機器９の配線・ケーブル１１を隠蔽するための配線蓋である。この配線蓋１２は、図５、図６に示すように、フラット部材から構成されており、その装着時には、図７、図８に示すように、かご室天井本体２の上面及び電気機器９の上面とともに、かご室天井上部のフラット化を実現するものである。
【００１１】
以上のように、この発明の実施の形態１によれば、かご上に設置される電気機器をかご室天井内に組み込み出荷を可能とし、且つ据付け時の余長配線処理を天井内にて実装することにより、かご室天井上部のフラット化及び配線処理が無くなることによる据付け及び保守作業の簡素化、安全性確保を可能にする。
【図面の簡単な説明】
【００１２】
【図１】この発明の実施の形態１におけるエレベータかご室の天井に電気機器を収納する状態を示す斜視図である。
【図２】図１の縦断面図である。
【図３】この発明の実施の形態１におけるエレベータかご室の天井に電気機器の配線・ケーブルなどを収納した状態を示す斜視図である。
【図４】図３の縦断面図である。
【図５】電気機器の配線・ケーブルなどを収納した部分にフラット部材からなる配線蓋を取り付ける状態を示す斜視図である。
【図６】図５の縦断面図である。
【図７】この発明の実施の形態１におけるエレベータかご室の天井上をフラット化した状態を示す斜視図である。
【図８】図７の縦断面図である。
【図９】従来のエレベータかご室の天井に電気機器及び配線・ケーブルを設置した状態を示す斜視図である。
【図１０】図９の縦断面図である。
【符号の説明】
【００１３】
１  かご室
２  かご室天井本体
３  凹部
４  箱体構造
５  照明用ランプ
６  照明用カバー
７  ドア駆動用電動機
８  内側天井部材
９  電気機器
１０  収容スペースからなる配線ダクト
１１  配線・ケーブル
１２  配線蓋
【図１】
2008013328.tif 000003
【図２】
2008013328.tif 000004
【図３】
2008013328.tif 000005
【図４】
2008013328.tif 000006
【図５】
2008013328.tif 000007
【図６】
2008013328.tif 000008
【図７】
2008013328.tif 000009
【図８】
2008013328.tif 000010
【図９】
2008013328.tif 000011
【図１０】
2008013328.tif 000012